(57)【要約】【課題】従来の放送送出システムにおいては、隣接弱電界利用できず、また、規格の違いを対応できないので、高価な転送路が必要で、視聴時不快感を与えるという課題を有していた。【解決手段】外国方式信号を所要Ｃ／Ｎ比と不要輻射と所定マージンの合計を超えるように増幅するアンテナ増幅装置３０２と、前記増幅された外国方式信号をベースバンド信号に復調するとともに、不要なＳＩ／ＰＳＩデータを除去し、ＳＴＣを該放送送出装置の設定に基づいて修正する復調・不要ＳＩ／ＰＳＩ除去・ＳＴＣ変換装置３０３と、前記復調され、不要なＳＩ／ＰＳＩデータを除去され、ＳＴＣを該放送送出装置の設定に基づいて修正されたベースバンド信号の暗号化を解除し、かつ、復号するＣＡＳ解除・ＡＶＣＯＤＥＣ変換装置３０４と、を備えた放送送出装置。【選択図】図３
2012175209.tif 000002
【特許請求の範囲】
【請求項１】
外国方式信号を所要Ｃ／Ｎ比と不要輻射と所定マージンの合計を超えるように増幅するアンテナ増幅装置と、
前記増幅された外国方式信号をベースバンド信号に復調するとともに、不要なＳＩ／ＰＳＩデータを除去し、ＳＴＣを該放送送出装置の設定に基づいて修正する復調・不要ＳＩ／ＰＳＩ除去・ＳＴＣ変換装置と、
前記復調され、不要なＳＩ／ＰＳＩデータを除去され、ＳＴＣを該放送送出装置の設定に基づいて修正されたベースバンド信号の暗号化を解除し、かつ、復号するＣＡＳ解除・ＡＶＣＯＤＥＣ変換装置と、
を備えた放送送出装置。
【請求項２】
さらに、前記暗号化が解除され、かつ、復号されたベースバンド信号のフレームレートを該放送送出装置の放送受信装置で再生可能なフレームレートに変換するフレームレート変換装置
を備えた前記請求項１の放送送出装置。
【発明の詳細な説明】
【技術分野】
【０００１】
本発明はデジタル放送送出システムに関し、特に、国をまたいだデジタル放送を可能にしたデジタル放送送出システムに関するものである。
【背景技術】
【０００２】
日本を始め、アナログ放送停止に向け、先進国で公共放送のデジタルハイビジョン化が終わりつつ、有料放送のハイビジョン化が始まっている。一般大衆向けの公共放送と比べ、有料放送は、限定されたユーザのニーズに応えられる高い専門性が必要である。その中、外国で製作された放送チャンネル（以下、外国放送）は有力である。
【０００３】
従来の外国放送用の放送送出システムは、アナログ信号しか処理できず、デジタルハイビジョン放送ができない上、高価な専用通信回線（衛星、海底の光ファイバ）のレンタルを必要とする。
【０００４】
また２５／２９．９７／３０とフレームレートの違いにより再生のフレーム間の時間間隔は撮影時の間隔とずれたり、不均等になることにより、絵飛び現象が発生し、視聴者に不快感を与えるものもある。ビジネスへの応用現実は厳しいものである。
【０００５】
図１および図２は、従来の放送送出システムの課題を示す図である。
【０００６】
図１において、Ａ国１は、放送衛星６により、設計受信地域限界５以内で受信可能な放送チャンネルを製作している。一方、Ｂ国２は、海底光ファイバ３や通信衛星４により、Ａ国１の放送衛星６による放送チャネルを放送している。
【０００７】
図２において、自然界事象は、番組の創作意図として、時間間隔ｔ１で撮影されており、創作意図に沿って再生されることが期待されている。ところが、規格準拠受信端末（ＰＡＬ・ＮＴＳＣ）のＨＷ（ハードウェア）上の制限により、撮影されたフレームで再生すると、端末規格に準拠した時間間隔ｔ２とフレーム数不足による調整発生時の時間間隔ｔ３でユーザに送出することで、ユーザに不快感を与えることになっていた。
【先行技術文献】
【特許文献】
【０００８】
【特許文献１】特開２００４−０１５７００号公報
【非特許文献】
【０００９】
【非特許文献１】ＮＨＫ受信技術センター著「地上デジタル放送」ＮＨＫ出版、２００３年３月１５日（Ｐ５２−５５）
【非特許文献２】ETSI  EN300 468 デジタル放送におけるSI情報
【非特許文献３】ISO/IEC 13818 -1, -2, -3  TSによるデジタル放送システム
【非特許文献４】シバソク、HDTVフォーマットコンバータ VC39A
【非特許文献５】ARIB STD B14 ISDB-Tデジタル放送運用Guide
【発明の概要】
【発明が解決しようとする課題】
【００１０】
しかしながら、前記従来の放送送出システムにおいては、隣接弱電界利用できず、また、規格の違いを対応できないので、高価の転送路が必要であり、また視聴時不快感を与えるという課題を有していた。
【００１１】
本発明は、前記従来の課題を解決するもので、隣接弱電界を利用できるようにすることで高価な転送路が不要になるとともに、タイミング優先でフレームレートの違いを吸収することで視聴時不快感を軽減するデジタル放送送出システムを提供することを目的とする。
【課題を解決するための手段】
【００１２】
前記従来の課題を解決するために、本発明のデジタル放送送出装置は、外国方式信号を所要Ｃ／Ｎ比と不要輻射と所定マージンの合計を超えるように増幅するアンテナ増幅装置と、前記増幅された外国方式信号をベースバンド信号に復調するとともに、不要なＳＩ／ＰＳＩデータを除去し、ＳＴＣを該放送送出装置の設定に基づいて修正する復調・不要ＳＩ／ＰＳＩ除去・ＳＴＣ変換装置と、前記復調され、不要なＳＩ／ＰＳＩデータを除去され、ＳＴＣを該放送送出装置の設定に基づいて修正されたベースバンド信号の暗号化を解除し、かつ、復号するＣＡＳ解除・ＡＶＣＯＤＥＣ変換装置と、を備える。
【００１３】
また、本発明の放送送出装置は、さらに、前記暗号化が解除され、かつ、復号されたベースバンド信号のフレームレートを該放送送出装置の放送受信装置で再生可能なフレームレートに変換するフレームレート変換装置を備える。
【００１４】
本発明のデジタル放送送出システムによれば、隣接弱電界を利用できるようにすることで高価な転送路が不要になるとともに、タイミング優先でフレームレートの違いを吸収することで視聴時不快感を軽減することが可能となる。
【発明の効果】
【００１５】
本発明のデジタル放送送出システムによれば、隣接弱電界を利用できるようにすることで高価な転送路が不要になるとともに、タイミング優先でフレームレートの違いを吸収することで視聴時不快感を軽減することが可能となる。
【図面の簡単な説明】
【００１６】
【図１】従来の放送送出システムの課題を示す図
【図２】従来の放送送出システムの課題を示す図
【図３】本発明の放送送出装置の概要を示す図
【図４】本発明の放送送出装置の詳細を示す図
【図５】本発明の放送送出装置の詳細を示す図
【発明を実施するための形態】
【００１７】
以下、本発明を実施するための一実施形態について、図面を参照しながら説明する。
【実施例１】
【００１８】
放送製作者から放映権取得のもと、図３に示すシステムで、例えば、中国の放送衛星よりデジタル信号を取得し、日本のケーブル事業者の既存設備につなぐだけで、契約したユーザの自宅へ中国放送をデジタルハイビジョンのままで配信できる。
＜段階１＞
外国方式信号３０１は、所要Ｃ／Ｎ比と不要輻射と所定のマージンの合計を超えるようにアンテナ装置３０２により増幅される。アンテナ装置３０２で増幅された信号は、復調・不要ＳＩ／ＰＳＩ除去・ＳＴＣ変換装置３０３により復調されてベースバンド信号（ＴＳ）となり、さらに不要なＰＳＩ／ＳＩデータを除去され、ＳＴＣ（ＴＯＴ/ＴＤＴ、ＰＴＳ）を局の設定に基づいて修正され、ベースバンド信号（ＴＳ）の形でＣＡＳ解除・ＡＶＣＯＤＥＣ変換装置３０４に送られる。ケーブル局の受信端末の制限にあわせ、ＣＡＳ解除・ＡＶＣＯＤＥＣ変換装置３０４にてベースバンド信号（ＴＳ）の中の暗号化された映像ストリームは復号され、ベースバンド信号（ＴＳ又はＥＳ）として、フレームレート変換３０５に送られる。
＜段階２＞
フレームレート変換３０５にて、ベースバンド信号（ＴＳ／ＥＳ）に含まれた映像信号は一旦取り出され、フレームごとに伸長され、旧フレームレートのフレームシーケンスを作り、その後、ケーブル局の受信端末で再生できるフレームレートに合致したフレームシーケンスを新たに作り出された後、また圧縮され、元のベースバンド信号（ＴＳ／ＥＳ）に戻し、次に送る。
＜段階３＞
その後、ベースバンド信号は、多重化装置（以下、ＭＵＸ）でケーブル局従来の番組とマージされ、暗号化装置（以下、ＳＣＲ）で暗号化され、変調装置（以下、ＭＯＤ）でＲＦ信号に変調される。その後、電光変換装置（以下、Ｅ／Ｏ）で光信号に変換された後、ケーブル会社の光ファイバ網でユーザ自宅または所在ビルに送られ、そこで、光電変換装置（以下、ＯＮＵ）で電気信号に変換された後、ケーブル局の受信端末に送られ、ユーザは受信端末に接続されているテレビを通じて、ほかの該当ケーブル局の番組と同じく外国方式信号３０１に含まれる映像信号を鑑賞できる。
【００１９】
また、放送製作者から放映権取得のもと、図３に示すシステムでフレームレート変換なしで、中国の放送衛星よりデジタル信号を取得し、日本の衛星放送事業者の既存設備につなぐだけで、契約したユーザの自宅へ中国放送をデジタルハイビジョンのままで配信できる。ユーザは２５ｆｐｓ対応のテレビで受信する。
【００２０】
以下の場合、Ｅ／Ｏと光ファイバ網とＯＮＵの代わりに、建物の配線網は利用される以外は上記と一緒である。
【００２１】
本発明のデジタル放送送出システムによれば、隣接弱電界を利用できるようにすることで高価な転送路が不要になるとともに、タイミング優先でフレームレートの違いを吸収することで視聴時不快感を軽減することが可能となる
また、留学生会館や技能研究者受け入れよう集合住宅などの外国人が多く住む建物の共通受信設備の前に該当装置を入れることにより、建物の価値を向上に繋がる。
【００２２】
また、観光ホテルなどの観光施設や語学学校の小規模局に相当するヘッドエンドの前に該当装置を入れることにより、ホテルの空室率の改善や教育の品質の向上に繋がる。
【００２３】
また、放送局や証券会社や通信社など外国のリアルタイムの情報を必要とする会社が入居する建物に、共同受信設備に該当装置を入れることにより、サービス水準向上による、不動産の価値向上に繋がる。
【産業上の利用可能性】
【００２４】
本発明にかかるデジタル放送システムは、外国放送の商用利用が可能になるので、放送通信分野の局機器等として有用である。
【符号の説明】
【００２５】
１    Ａ国
２    Ｂ国
３    海底光ファイバ
４    通信衛星
５    設計受信地域の限界
６    放送衛星
３０１    外国方式信号
３０２、４０２    外国方式信号増幅装置
３０３、４０５    復調・不要ＳＩ／ＰＳＩ除去・ＳＴＣ変換装置
３０４、４０６    ＣＡＳ解除・ＡＶＣＯＤＥＣ変換装置
３０５    フレームレート変換装置
３０６    現地の局や建物の送出設備が加工できるベースバンド信号
４０１    従来の信号増幅装置
４０３    外国方式信号を増幅する装置の平面図
４０４    従来の信号増幅装置の平面図
【図１】
2012175209.tif 000003
【図２】
2012175209.tif 000004
【図３】
2012175209.tif 000005
【図４】
2012175209.tif 000006
【図５】
2012175209.tif 000007